(57)【要約】【課題】サスクロスメンバの車体フレームへの組付け性に優れるサスペンション装置を提供する。【解決手段】本開示の技術の一実施形態に係るサスペンション装置１０は、サイドメンバ２６に揺動自在に支持されるアッパーアーム１４と、サスクロスメンバ２８に揺動自在に支持されるロワアーム２８と、該ロワアームとサイドメンバとの間に配設されるショックアブソーバ４６と、車幅方向に横置きに配置されて端部がロワアームに配置されるリーフスプリング４０とを備えた、サスペンション装置において、アッパーアーム及びショックアブソーバは、サイドメンバの車幅方向外側に接続するように構成された第１ブラケット２４につながり、第１ブラケットはサスクロスメンバから離れている、という構成を備える。【選択図】図１
2019104268.tif 000002
【特許請求の範囲】
【請求項１】
車輪のナックルを揺動自在に支持するように設けられるとともに車両前後方向に延びるサイドメンバに揺動自在に支持されるように構成されたアッパーアームと、前記ナックルを揺動自在に支持するように設けられるとともに車幅方向に延びるサスクロスメンバに揺動自在に支持されるように構成されたロワアームと、該ロワアームと前記サイドメンバとの間に配設される衝撃吸収装置と、車幅方向に延在するように配置されて端部が前記ロワアームに配置されるリーフスプリングとを備えた、サスペンション装置であって、
前記アッパーアーム及び前記衝撃吸収装置は、前記サイドメンバの車幅方向外側に接続するように構成された第１ブラケットにつながり、
前記第１ブラケットは前記サスクロスメンバから離れている、
サスペンション装置。
【請求項２】
前記サスクロスメンバは、前記サイドメンバの鉛直方向下側に、前記第１ブラケットから独立した第２ブラケットを伴って接続するように構成されている、
請求項１に記載のサスペンション装置。
【発明の詳細な説明】
【技術分野】
【０００１】
本開示は、車両の、独立懸架式のサスペンション装置に関する。
【背景技術】
【０００２】
車両において、車輪の独立懸架の方式の一つである、ダブルウィッシュボーンタイプのサスペンション装置が従来用いられている。この種のサスペンション装置は、車体フレームのサイドメンバに支軸周りに揺動自在に支持されたアッパーアームと、車体側のサスクロスメンバに支軸周りに揺動自在に支持されたロワアームとを備える。これらアッパーアームとロワアームとは車輪のナックルに連結されている。
【０００３】
このようなサスペンション装置の一例が特許文献１に開示されている。特許文献１の、サスペンション装置は、ボールジョイントを介してナックルに連結された上記アッパーアーム及び上記ロワアームを備える。更に、そのサスペンション装置は、ロワアームと車体フレームに固設されたばね受との間に設けられたコイルばねと、このコイルばねの中心に延びるショックアブソーバと、車幅方向に横置きに配置されて両端がそれぞれ対応するロワアームに連結されているリーフスプリングとを備える。
【先行技術文献】
【特許文献】
【０００４】
【特許文献１】特開平７−１１２６０７号公報
【発明の概要】
【発明が解決しようとする課題】
【０００５】
ところで、上記特許文献１のサスペンション装置では、サスクロスメンバとサイドメンバとをつなぐブラケットが、ショックアブソーバが中心に延びる上記コイルばね周囲も覆うように設けられていて、そのばね受けと一体にされている。したがって、サスクロスメンバとサイドメンバとをつなぐブラケットは車両前後方向からみたとき略Ｌ字状を有するので、サスクロスメンバをサイドメンバに固定するためには、サイドメンバに対するより正確なブラケットの位置決めが必要である。例えばこのような理由により、サスクロスメンバの組付け性の点で、特許文献１のサスペンション装置は改善の余地がある。
【０００６】
本開示の技術は、サスクロスメンバの車体フレームへの組付け性に優れるサスペンション装置を提供することを目的とする。
【課題を解決するための手段】
【０００７】
上記目的を達成するために、本開示の技術は、車輪のナックルを揺動自在に支持するように設けられるとともに車両前後方向に延びるサイドメンバに揺動自在に支持されるように構成されたアッパーアームと、前記ナックルを揺動自在に支持するように設けられるとともに車幅方向に延びるサスクロスメンバに揺動自在に支持されるように構成されたロワアームと、該ロワアームと前記サイドメンバとの間に配設される衝撃吸収装置と、車幅方向に延在するように配置されて端部が前記ロワアームに配置されるリーフスプリングとを備えた、サスペンション装置であって、前記アッパーアーム及び前記衝撃吸収装置は、前記サイドメンバの車幅方向外側に接続するように構成された第１ブラケットにつながり、前記第１ブラケットは前記サスクロスメンバから離れている、サスペンション装置を提供する。
【０００８】
好ましくは、前記サスクロスメンバは、前記サイドメンバの鉛直方向下側に、前記第１ブラケットから独立した第２ブラケットを伴って接続するように構成されている。
【発明の効果】
【０００９】
本開示の上記技術によるサスペンション装置によれば、上記構成を備えるので、サスクロスメンバの車体フレームへの組付け性を高めることができる。
【図面の簡単な説明】
【００１０】
【図１】本開示の技術の一実施形態に係るサスペンション装置の構成図であり、車両側方側からの図である。
【図２】図１のサスペンション装置の片方の車輪側の構成図であり、一部断面図である。
【図３】図１のサスペンション装置のロワアームとリーフスプリングとを説明するための図である。
【図４】図２のサスペンション装置の説明図である。
【図５】従来のサスペンション装置における組付けの説明図である。
【図６】図１のサスペンション装置における組付けの説明図である。
【発明を実施するための形態】
【００１１】
以下、本開示の技術に係る実施形態を添付図に基づいて説明する。同一の部品（又は構成）には同一の符号を付してあり、それらの名称及び機能も同じである。したがって、それらについての詳細な説明は繰返さない。
【００１２】
図１に、本開示の技術の一実施形態に係るサスペンション装置１０の一部の概略構成を示す。図２に、サスペンション装置１０の片方の車輪側の構成を示し、その一部を断面で示す。サスペンション装置１０は、ここでは車両の前輪に適用されていて、図２の符号「１２」は左前輪（不図示）を支持するハブである。図１は、（左前輪のハブ及びナックルを除いて表した）図２におけるサスペンション装置１０の、左前輪の側方側からの図である。なお、図示しない右前輪側は、図１及び図２の構成と左右対称な構成を実質的に有するので、以下では実質的にその説明を省略する。また、車幅方向は図１において紙面に略直交する方向であるとともに図２において紙面に略平行な方向であり、車両前後方向は図１において紙面に略平行な方向であるとともに図２において紙面に略直交する方向である。
【００１３】
サスペンション装置１０は、独立懸架方式のサスペンション装置として構成されている。サスペンション装置１０は、平面形状が略Ｖ形又は略Ａ形をなすアッパーアーム１４と、平面形状が略Ｖ形又は略Ａ形をなすロワアーム１６とを備える。車輪のナックル１８は、その上方部分を介して、アッパーアーム１４に、特にその車幅方向外方の端部（基部）１４ａに、ボールジョイント２０を介して枢支され、つまり揺動自在に支持されている。また、車輪のナックル１８は、その下方部分を介して、ロワアーム１６に、特にその車幅方向外方の端部（基部）１６ａに、ボールジョイント２２を介して揺動自在に支持されている。
【００１４】
アッパーアーム１４の上記基部１４ａから車幅方向内方に二股に分かれた２つのアーム部１４ｂのそれぞれのアーム端部１４ｃはブラケット２４のアッパーアームブラケット２５ａに連結されている。それにより、アッパーアーム１４はブラケット２５ａの支軸周りに揺動自在に支持されている。ブラケット２４は、車両前後方向に延在して配置されるサイドメンバ２６に固定される。サイドメンバ２６は、図示しない車体フレームＢＦの構成要素であり、車両の両サイドに配置される。なお、サスペンション装置１０では、図１に示すように、ブラケット２４は、Ｗ形状に配置した５つのボルトＢで、サイドメンバ２６に固定される。しかし、ブラケット２４を固定するためのボルトの数、配置などは、これに限定されるものではない。
【００１５】
車体フレームＢＦの左右のサイドメンバ２６（図１及び図２では車両左側のサイドメンバ２６のみを図示）の鉛直方向下側つまり下方に、サスクロスメンバ（サスペンションクロスメンバ）２８が車幅方向に配置されている。サスクロスメンバ２８は、車両前後方向にある程度の幅を有し、車幅方向に延びる複数の部材及びこれらをつなぐように設けられる車両前後方向に延びる複数の部材を備える。具体的には、サスクロスメンバ２８は、車幅方向に延在する主クロスメンバ３０と、車幅方向に延在する副クロスメンバ３２と、車両前後方向に延びる縦メンバ３４とを備える。ここでは、主クロスメンバ３０の車両前方側に、主クロスメンバ３０から離して副クロスメンバ３２が略平行に配置される。そして、それら主クロスメンバ３０と副クロスメンバ３２とに亘って縦メンバ３４が設けられている。ここでは、サスクロスメンバの構成要素は概して鉄鋼材料で作製され、それらは溶接により一体化されるが、材料、接合方法はこれらに限定されるものではない。また、このようなサスクロスメンバ２８の構成は、本開示においてサスクロスメンバが主クロスメンバのみから構成されることを排除するものではない。なお、図１及び図２に示すように、サスペンション装置１０では、サスクロスメンバ２８がサイドメンバ２６に取り付け固定されるとき、縦メンバ３４がサイドメンバ２６に当接する。また、主クロスメンバ３０と副クロスメンバ３２とにより、それらの間にステアリングギヤボックスＳＵが支持されている。
【００１６】
より詳しくは、主クロスメンバ３０は、ブラケット３６を介して、縦メンバ３４に取り付けられている。サスクロスメンバ２８における主クロスメンバ３０の上部には、ブラケット３６が取り付けられる。ブラケット３６は、図１に示すように主クロスメンバ３０を上側から覆うように設けられるとともに、図２に示すように主クロスメンバ３０の（車幅方向の）端部に対してその上部に設けられる。そして、図１及び図２に示すように、前述の縦メンバ３４は、ブラケット３６の上部にまたがるように配置される。このように、サスペンション装置１０では、ブラケット３６はサスクロスメンバ２８の内部に組み込まれている。しかし、ブラケット３６はサスクロスメンバ２８の外部に取り付けられてもよい（つまり、ブラケット３６を介してサスクロスメンバ２８がサイドメンバ２６に取り付けられてもよい）。なお、これらの態様のいずれでも、サスクロスメンバ２８は車体フレームＢＦ（サイドメンバ２６）の鉛直方向下側に接続され、そのときサスクロスメンバ２８はその内部に又はその上側にブラケット３６を伴う。以下では、このブラケット３６を上記ブラケット２４と区別するべく、上記ブラケット２４を上側ブラケットと称し、ブラケット３６を下側ブラケットと称する。なお、上側ブラケット２４は本開示の技術における第１ブラケットに相当し、下側ブラケット３６は本開示の技術における第２ブラケットに相当する。
【００１７】
副クロスメンバ３２も、支持ブラケット３３を介して、縦メンバ３４に取り付けられている。副クロスメンバ３２の車幅方向両端部のそれぞれには略鉛直方向（略上下方向）に延びる支持ブラケット３３の下端部が上側から覆うように接合されている。そして、このようにして副クロスメンバ３２に接合された支持ブラケット３３の上端部が縦メンバ３４に接合されることで、副クロスメンバ３２は縦メンバ３４に取り付けられている。
【００１８】
サスクロスメンバ２８は、ロワアームブラケット３８を更に有する。ロワアームブラケット３８には、ロワアーム１６の上記基部１６ａから車幅方向内方に二股に分かれた２つのアーム部１６ｂのそれぞれのアーム端部１６ｃが連結される。これにより、ロワアーム１６はブラケット３８の支軸周りに揺動自在に支持されている。ここでは、ロワアームブラケット３８は、図１に示すように、車両前後方向において主クロスメンバ３０を挟むように設けられる。ここでは、車両前方側のロワアームブラケット３８は、副クロスメンバ３２の車幅方向外側端部に接合される上記支持ブラケット３３としても構成されている。したがって、車両前方側のロワアームブラケット３８は、支持ブラケット３３としての役割を担う。車両後方側のロワアームブラケット３８は、主クロスメンバ３０の延出部３０Ｅに連結され、更にその上端側が縦メンバ３４に取り付けられて固定されている。このように、ロワアーム１６は下側ブラケット３６に直接的に接続されておらず、下側ブラケット３６は、ロワアーム１６から離れている。
【００１９】
サスペンション装置１０では、車幅方向に延在するように横置きにリーフスプリング４０が配置される。リーフスプリング４０は、サスクロスメンバ２８のうちの主クロスメンバ３０の内部空洞３０ｓを通して配置される。そして、リーフスプリング４０の一端部４０ａは、左前輪側（図２のハブ１２側）のロワアーム１６の支持部４４に後述するように配置され、その他端部は、同様に図示しない右前輪側のロワアーム１６の支持部に配置される。
【００２０】
支持部４４は、ロワアーム１６の基部１６ａとそこから二股に延びるアーム部１６ｂとの間に形成される略三角形領域の鉛直方向上側つまり上方に車両において略水平となるように形成されている。リーフスプリング４０は、概して、車幅方向に延在し、鉛直方向上側に僅かに凸に湾曲した形状を有する。リーフスプリング４０の中間部分４０ｂは、サスクロスメンバ２８のうちの主クロスメンバ３０内に収容されていて、ブッシュ部材４７で主クロスメンバ３０に対して支持されている。ブッシュ部材４７は、リーフスプリング４０の鉛直方向上側に位置付けられて主クロスメンバ３０の内面に接続する上ブッシュ４８と、リーフスプリング４０の鉛直方向下側に位置付けられて主クロスメンバ３０の内面に接続する下ブッシュ５０とを含む。リーフスプリング４０は、上ブッシュ４８により、ロワアーム１６の支持部４４に押し付けられるようにして設けられている。この上ブッシュ４８は、リーフスプリング４０からの力をサスクロスメンバ２８に伝達可能に設けられている伝達部に相当する。また、下ブッシュ５０は、リーフスプリング４０に種々の役目又は機能を担わせることを可能にするように、例えばスタビライザーとしての役目も担わせることを可能にするように、リーフスプリング４０を支持するように設けられている。下ブッシュ５０をも設けることで、リーフスプリング４０は、左右の前輪に異なる力が生じるとき、例えば、左前輪は上側に持ち上げられるが右前輪が下側に下がるようなとき、略Ｓ字状に湾曲することができ、左右前輪の両方に対して作用することができる。
【００２１】
図３に示すように、ロワアーム１６は、上記支持部４４を有するとともに、支持部４４の鉛直方向上側を覆うように設けられるロワアームカバー部１６ｅを有する。なお、このカバー部１６ｅとの区別を明瞭にするように、上で述べた基部１６ａ及びそこから二股に延在するアーム部１６ｂを含む本体部１６ｄをロワアーム本体部と称し得る。
【００２２】
ロワアーム１６では、ロワアーム本体部１６ｄに、リーフスプリング４０の端部を支持するための上記支持部４４が設けられている。支持部４４は、ロワアーム１６に載るように設けられ、ロワアーム１６に対して取り外したり交換したりすることができるように設けられている。支持部４４は、ロワアーム１６と同じく、金属材料のうちの鉄鋼材料で作製されている。支持部４４の下側には、弾性体４４ａが設けられている。この弾性体４４ａは、支持部４４に大きな力が作用したときの緩衝能を高めるように、また、ロワアーム１６の回転軌跡とリーフスプリング４０の回転軌跡による差を吸収するように、設けられている。そして、ロワアーム本体部１６ｄにカバー部１６ｅが取り付けられたロワアーム１６は、車幅方向内側に開口する開口部１６ｆを有する。リーフスプリング４０は開口部１６ｆを通してロワアーム１６内の空間に延在し、リーフスプリング４０の端部はロワアーム１６の支持部４４に支持される。このようにロワアーム１６は空間を有するが、所定レベル以上の強度又は剛性を有するように、カバー部１６ｅは、所定補強形状を有する。具体的には、ロワアーム１６において、カバー部１６ｅは、開口部１６ｆにおいて略アーチ形状（略Ｕ字形状）を有する。なお、図１及び図２において、リーフスプリング４０は、カバー部１６ｅの内面から離れている。
【００２３】
上記構成のロワアーム１６とサイドメンバ２６との間に延びるように、衝撃吸収装置であるショックアブソーバ４６が設けられている。ショックアブソーバ４６の一端部４６ａはロワアーム１６に接続されている。ショックアブソーバ４６のロワアーム１６への接続部１６ｇは、ロワアーム１６のカバー部１６ｅの鉛直方向上側の面に設けられ、概ねロアアーム１６の基部１６ａ近傍上側に位置する。ショックアブソーバ４６の他端部４６ｂは、上側ブラケット２４における、２つのアッパーアームブラケット２５ａ間の接続部２５ｂに連結されている。
【００２４】
さて、上記構成のサスペンション装置１０においては、上記説明及び図面から明らかなように、サイドメンバ２６の車幅方向外側に接続される上側ブラケット２４は、サイドメンバ２６の鉛直方向下側に接続されるサスクロスメンバ２８から独立して離れている。これに対して、従来のサスペンション装置では、サスクロスメンバとサイドメンバとをつなぐブラケットはサイドメンバ２６の車幅方向外側にまで延びる。例えば、特許文献１のサスペンション装置では、既に述べたように、サスクロスメンバとサイドメンバとをつなぐブラケットが、ショックアブソーバが中心に延びるコイルばね周囲も覆うように設けられていて、そのばね受けと一体にされている。したがって、特許文献１のサスペンション装置では、構成部材間の設計上の関係性が非常に強い。このような従来のサスペンション装置に比べて、サスペンション装置１０は、上記構成を備えるので、高い設計の自由度を有する。そして、主クロスメンバ３０の端部を上側から覆うように設けられてサイドメンバ２６の鉛直方向下側つまり下方に位置する下側ブラケット３６からも、上側ブラケット２４は独立している。これにより、上側ブラケット２４に接続するアッパーアーム１４及びショックアブソーバ４６は、下側ブラケット３６に対して直接的には接続しておらず、つまり非接続状態にある。したがって、サスペンション装置１０は、更に高い設計の自由度を有する。このように、サスペンション装置１０は、上側ブラケット２４と下側ブラケット３６とが独立した構成を有するが、以下に説明するように強度又は剛性の面でも優れる。
【００２５】
まず、上で説明したように、ショックアブソーバ４６の一端部４６ａはロワアーム１６に接続され、その他端部４６ｂは上側ブラケット２４に接続されている。車幅方向において、ショックアブソーバ４６のロワアーム１６への接続部は、上側ブラケット２４よりも外側にある。そして、上側ブラケット２４は、車幅方向において外側からサイドメンバ２６に接続する。したがって、ショックアブソーバ４６は、車幅方向において、車両の外側から内側への力をサイドメンバ２６に及ぼすことができる。このように車幅方向外側からサイドメンバ２６への力の第１伝達ルートが形成されている。
【００２６】
そして、車幅方向外側からサイドメンバ２６への力の第１伝達ルートとは別個の力の第２伝達ルートが、サイドメンバ２６の鉛直方向下側に形成されている。第２伝達ルートには、上ブッシュ４８、及び、上側ブラケット２４から独立した下側ブラケット３６が存在する。第２伝達ルートでは、リーフスプリング４０からの力を上ブッシュ４８、主クロスメンバ３０、下側ブラケット３６、縦メンバ３４を順に介して、サイドメンバ２６に付与することができる。
【００２７】
このようなサスペンション装置１０において、例えばハブ１２が鉛直方向上側に持ち上げられるような力Ｆが車輪に作用したとき、第１伝達ルートにおけるロワアーム１６及びショックアブソーバ４６を介して、サイドメンバ２６には、図４中に模式的に示すような車両外方から車両内方へのモーメントＭ１が作用し得る。一方で、そのような力Ｆが車輪（ハブ１２）に作用したとき、ロワアーム１６からリーフスプリング４０に力が伝達され、そして、リーフスプリングからの力つまり弾性力は上ブッシュ４８を介して主クロスメンバ３０に伝達される。その結果（上側ブラケットから独立した）下側ブラケット３６がサイドメンバ２６の鉛直方向下側に配置されているので、サイドメンバ２６には、図４中に模式的に示すような車両内方から車両外方へのモーメントＭ２を作用させることができる。図４から理解できるように、これらのモーメントＭ１、Ｍ２は互いに打ち消しあうような向きの力である。つまり、車輪（ハブ１２）に力Ｆが作用するときには、特許文献１のサスペンション装置では、サイドメンバ２６にモーメントＭ１に相当するようなモーメントのみが作用するところ、本実施形態のサスペンション装置１０では、互いに打ち消すような向きのモーメントＭ１、Ｍ２をサイドメンバ２６に作用させることができる。したがって、本実施形態のサスペンション装置１０は、サイドメンバを肉厚にすることなど、重量増を伴う構成変化を必要としないで、力Ｆに対して、剛性面で優れる。
【００２８】
また、サスペンション装置１０では、下側ブラケット３６は、車幅方向において、サイドメンバ２６よりも車両の内側に、主クロスメンバ３０との接続領域を実質的に有する（図２、図４参照）。この接続領域は、（車幅方向においてサイドメンバ２６よりも内側にある）上ブッシュ４８の鉛直方向上側にまで延在する。したがって、図２及び図４に示すように、下側ブラケット３０は、鉛直方向下側部分よりも鉛直方向上側部分が、車幅方向で外側に位置するように形成されている。それ故に、車輪に上記力Ｆが作用するときには、下側ブラケット３６は、リーフスプリング４０から主クロスメンバ３０を介して伝達された力をより好適にサイドメンバ２６に付与し、上記モーメントＭ２を生じさせることができる。このように、下側ブラケット３６は、主クロスメンバ３０や上ブッシュ４８などを介してのリーフスプリング４０とサイドメンバ２６との間での力の伝達を担う力伝達部材として機能し得る。
【００２９】
サスペンション装置１０は、その耐衝撃性等を高めるように、下側ブラケット３６に設けられたバンプラバー５２等を備える。
【００３０】
そして、上記構成のサスペンション装置１０は、以下に説明するように、車体フレームＢＦに組付けられることができる。図５に基づいて特許文献１に示すような従来のサスペンション装置についてまず説明する。図５では左右のサイドメンバ２６を備える車体フレームＢＦと、特許文献１に記載のブラケットのように略Ｌ字状断面を有するブラケットＢを備えるサスクロスメンバ２８´とを模式的に表す。図５から理解できるように、従来のサスペンション装置では、ブラケットＢを備えたサスクロスメンバ２８´を車体フレームＢＦに組付けるとき、それらの間での前後左右、水平方向などの精密な位置決めを必要とする。
【００３１】
これに対して、本実施形態に係るサスペンション装置１０では、上で説明したように、上側ブラケット２４と下側ブラケット３６（つまりサスクロスメンバ２８）とが分離独立している。つまり、上側ブラケット２４はサスクロスメンバ２８に固定されておらず、サスクロスメンバ２８から独立して離れている。そして、この構成により、上側ブラケット２４はサイドメンバ２６にサスクロスメンバとは別個に取り付けられ得、下側ブラケット３６を備えるサスクロスメンバ２８はサイドメンバ２６に上側ブラケット２４とは別個に取り付けられ得る。上側ブラケット２４には、アッパーアーム１４やショックアブソーバ４６が取り付けられる。そして、下側ブラケット３６を含むサスクロスメンバ２８が組み立てられる。上側ブラケット２４とサスクロスメンバ２８とはショックアブソーバ４６及びロワアーム１６を介して連結されているが、上側ブラケット２４とサスクロスメンバ２８との間での位置が固定的に定まるものではない。これは、ロワアーム１６がサスクロスメンバ２８に揺動自在に取り付けられ、またショックアブソーバ４６の端部４６ａが支軸周りに回動可能（揺動可能）であることから容易に理解されよう。したがって、図６に模式的に示すように、サスクロスメンバ２８を車体フレームＢＦに取り付けるとき、従来のサスペンション装置ほどの精密な位置決めを必要とせずに、それらの間での前後左右、水平方向の大雑把な位置決めを行うことで、互いに当接する当接状態にし、その後位置関係を微調整することができる。そして、下側ブラケット３６を伴ってサスクロスメンバ２８を車体フレームＢＦ（特にサイドメンバ２６）に固定した状態で、上側ブラケット２４をサイドメンバ２６にしっかりと固定することができる。このように、上側ブラケット２４と下側ブラケット３６（つまりサスクロスメンバ２８）とを分離独立させた上記構成を採用することで、サスペンション装置１０では、各構成要素の、特にサスクロスメンバ２８の車体フレームＢＦ（主にサイドメンバ２６）への組付け性の向上を図ることができる。
【００３２】
なお、本開示は、上述の実施形態に限定されるものではなく、本開示の趣旨を逸脱しない範囲で、適宜に変形して実施することができる。
【００３３】
例えば、上記実施形態では、アッパーアームとショックアブソーバとは単一の上側ブラケット２４に接続された。しかし、上側ブラケット２４は、単一の部材であることに限定されず、２つ以上の部材から構成されてもよい。例えば、上側ブラケット２４は、アッパーアームの接続用の２つの離間したアッパーアームブラケットと、それらの間に設けられるショックアブソーバ接続用ブラケットとから構成されてもよい。これら３つのブラケットは、完全に分離独立してもよいが、好ましくは、一体として形成され、又は一体に統合される。
【００３４】
なお、本開示の技術の各構成要素は、（上記の如き材料で作製されることに限定されず）種々の材料から作製され得る。例えば、支持部４４は鉄鋼材料で作製されることに限定されず、その他の材料、例えば非鉄金属材料や樹脂材料から作製されてもよい。また、支持部４４は、ロワアームと異なる材料から作製されてもよい。
【００３５】
本開示の技術は、車両の前輪に対して適用されることに限定されず、後輪に対して適用されてもよい。
【符号の説明】
【００３６】
１０  サスペンション装置
１４  アッパーアーム
１６  ロワアーム
１８  ナックル
２４  上側ブラケット（第１ブラケット）
２６  サイドメンバ
２８  サスクロスメンバ
３０  主クロスメンバ
３２  副クロスメンバ
３４  縦メンバ
３６  下側ブラケット（第２ブラケット）
４０  リーフスプリング
４６  ショックアブソーバ
【図１】
2019104268.tif 000003
【図２】
2019104268.tif 000004
【図３】
2019104268.tif 000005
【図４】
2019104268.tif 000006
【図５】
2019104268.tif 000007
【図６】
2019104268.tif 000008